【手続補正書】
【提出日】平成19年8月27日(2007.8.27)
【手続補正１】
【補正対象書類名】特許請求の範囲
【補正対象項目名】全文
【補正方法】変更
【補正の内容】
【特許請求の範囲】
【請求項１】
所定の記憶手段に記憶されている曲のイベントデータを順に読み出して演奏をガイドする演奏ガイド手段と、
前記演奏ガイド手段によってガイドされたイベントデータに対する演奏結果を判定する演奏判定手段と、
前記曲の所定期間におけるイベントデータに対して前記演奏判定手段によって判定された判定結果が予め設定されている所定値以上である場合には前記演奏ガイド手段に対して当該所定期間の次の所定期間におけるイベントデータを読み出してガイドするように指示し、前記演奏判定手段によって判定された判定結果が前記所定値に達しない場合には前記演奏ガイド手段に対して当該所定期間と同じ調の音階フレーズを読み出してガイドするように指示する読出指示手段と、
を備えた演奏教習装置。
【請求項２】
所定の記憶手段に記憶されている曲のイベントデータを順に読み出して演奏をガイドする演奏ガイド手段と、
前記演奏ガイド手段によってガイドされたイベントデータに対する演奏結果を判定する演奏判定手段と、
前記曲の所定期間におけるイベントデータに対して前記演奏判定手段によって判定された判定結果が予め設定されている所定値以上である場合には前記演奏ガイド手段に対して当該所定期間の次の所定期間におけるイベントデータを読み出してガイドするように指示し、前記演奏判定手段によって判定された判定結果が前記所定値に達しない場合には前記演奏ガイド手段に対して当該所定期間における特徴的な演奏パターンとして前記記憶手段に予め記憶されている指定フレーズを読み出してガイドするように指示する読出指示手段と、
を備えた演奏教習装置。
【請求項３】
所定の記憶手段に記憶されている曲のイベントデータを順に読み出して演奏をガイドする第１のステップと、
前記第１のステップによってガイドされたイベントデータに対する演奏結果を判定する第２のステップと、
前記曲の所定期間におけるイベントデータに対して前記第２のステップによって判定された判定結果が予め設定されている所定値以上である場合には前記第１のステップに対して当該所定期間の次の所定期間におけるイベントデータを読み出してガイドするように指示し、前記第２のステップによって判定された判定結果が前記所定値に達しない場合には前記第１のステップに対して当該所定期間と同じ調の音階フレーズを読み出してガイドするように指示する第３のステップと、
をコンピュータに実行させる演奏教習処理のプログラム。
【請求項４】
所定の記憶手段に記憶されている曲のイベントデータを順に読み出して演奏をガイドする第１のステップと、
前記第１のステップによってガイドされたイベントデータに対する演奏結果を判定する第２のステップと、
前記曲の所定期間におけるイベントデータに対して前記第２のステップによって判定された判定結果が予め設定されている所定値以上である場合には前記第１のステップに対して当該所定期間の次の所定期間におけるイベントデータを読み出してガイドするように指示し、前記第２のステップによって判定された判定結果が前記所定値に達しない場合には前記第１のステップに対して当該所定期間における特徴的な演奏パターンとして前記記憶手段に予め記憶されている指定フレーズを読み出してガイドするように指示する第３のステップと、
をコンピュータに実行させる演奏教習処理のプログラム。
【手続補正２】
【補正対象書類名】明細書
【補正対象項目名】０００４
【補正方法】削除
【補正の内容】
【手続補正３】
【補正対象書類名】明細書
【補正対象項目名】０００５
【補正方法】変更
【補正の内容】
【０００５】
請求項１に記載の演奏教習装置は、所定の記憶手段（実施形態においては、図１の演奏データメモリ１０に相当する）に記憶されている曲のイベントデータを順に読み出して演奏をガイドする演奏ガイド手段（実施形態においては、図１のＣＰＵ３に相当する）と、演奏ガイド手段によってガイドされたイベントデータに対する演奏結果を判定する演奏判定手段（実施形態においては、図１のＣＰＵ３に相当する）と、曲の所定期間（実施形態においては、フレーズに相当する）におけるイベントデータに対して演奏判定手段によって判定された判定結果が予め設定されている所定値以上である場合には演奏ガイド手段に対して当該所定期間の次の所定期間におけるイベントデータを読み出してガイドするように指示し、演奏判定手段によって判定された判定結果が所定値に達しない場合には演奏ガイド手段に対して当該所定期間と同じ調の音階フレーズを読み出してガイドするように指示する読出指示手段（実施形態においては、図１のＣＰＵ３に相当する）と、を備えた構成になっている。
【手続補正４】
【補正対象書類名】明細書
【補正対象項目名】０００６
【補正方法】変更
【補正の内容】
【０００６】
請求項２に記載の演奏教習装置は、所定の記憶手段（実施形態においては、図１の演奏データメモリ１０に相当する）に記憶されている曲のイベントデータを順に読み出して演奏をガイドする演奏ガイド手段（実施形態においては、図１のＣＰＵ３に相当する）と、演奏ガイド手段によってガイドされたイベントデータに対する演奏結果を判定する演奏判定手段（実施形態においては、図１のＣＰＵ３に相当する）と、曲の所定期間（実施形態においては、フレーズに相当する）におけるイベントデータに対して演奏判定手段によって判定された判定結果が予め設定されている所定値以上である場合には前記演奏ガイド手段に対して当該所定期間の次の所定期間におけるイベントデータを読み出してガイドするように指示し、演奏判定手段によって判定された判定結果が所定値に達しない場合には演奏ガイド手段に対して当該所定期間における特徴的な演奏パターンとして記憶手段に予め記憶されている指定フレーズを読み出してガイドするように指示する読出指示手段（実施形態においては、図１のＣＰＵ３に相当する）と、を備えた構成になっている。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】変更
【補正の内容】
【０００８】
請求項３に記載の演奏教習処理のプログラムは、所定の記憶手段（実施形態においては、図１の演奏データメモリ１０に相当する）に記憶されている曲のイベントデータを順に読み出して演奏をガイドする第１のステップと、第１のステップによってガイドされたイベントデータに対する演奏結果を判定する第２のステップと、曲の所定期間（実施形態においては、フレーズに相当する）におけるイベントデータに対して第２のステップによって判定された判定結果が予め設定されている所定値以上である場合には第１のステップに対して当該所定期間の次の所定期間におけるイベントデータを読み出してガイドするように指示し、第２のステップによって判定された判定結果が所定値に達しない場合には第１のステップに対して当該所定期間と同じ調の音階フレーズを読み出してガイドするように指示する第３のステップと、をコンピュータに実行させる。
第１のステップないし第３のステップは、実施形態においては、図１のＣＰＵ３によって実行される処理に相当する。
【手続補正７】
【補正対象書類名】明細書
【補正対象項目名】０００９
【補正方法】変更
【補正の内容】
【０００９】
請求項４に記載の演奏教習処理のプログラムは、所定の記憶手段（実施形態においては、図１の演奏データメモリ１０に相当する）に記憶されている曲のイベントデータを順に読み出して演奏をガイドする第１のステップと、第１のステップによってガイドされたイベントデータに対する演奏結果を判定する第２のステップと、曲の所定期間（実施形態においては、フレーズに相当する）におけるイベントデータに対して第２のステップによって判定された判定結果が予め設定されている所定値以上である場合には第１のステップに対して当該所定期間の次の所定期間におけるイベントデータを読み出してガイドするように指示し、第２のステップによって判定された判定結果が所定値に達しない場合には第１のステップに対して当該所定期間における特徴的な演奏パターンとして記憶手段に予め記憶されている指定フレーズを読み出してガイドするように指示する第３のステップと、をコンピュータに実行させる。
第１のステップないし第３のステップは、実施形態においては、図１のＣＰＵ３によって実行される処理に相当する。